(57)【要約】【課題】動画の視聴中にコマーシャルをスキップするための技術として、一般的に３０秒スキップと呼ばれる機能が知られている。３０秒スキップの機能は、３０秒スキップボタンを実行した回数×３０秒後の位置にスキップする機能である。このような場合、３０秒スキップの実施後に再生された映像を確認し次のスキップ操作を判断、実行する必要があり、映像の確認と３０秒スキップの実行を何度も繰り返す必要がある。また、固定区間をスキップするため、ユーザが目的としているコマーシャル明けのシーンにぴったりスキップすることができない。【解決手段】一定間隔スキップ命令により、スキップ再生の開始時に、次のスキップ候補と考えられる所定の連続したスキップ点候補と、所定区間内に定義されたチャプタ点のサムネイルを、時系列に一定時間表示することで、ユーザが目的としているシーンにスキップすることを可能とする。【選択図】図４
2009182772.tif 000002
【特許請求の範囲】
【請求項１】
動画と動画を再生、スキップするための管理情報を記録するための動画情報記録手段と、
前記動画情報記録手段で記録した動画を再生する再生手段と、
一定間隔スキップする命令を受信すると前記再生手段で再生する動画を一時停止する一定間隔スキップ命令受信手段と、
前記一定間隔スキップ命令手段で受信すると、前記動画情報記録手段で記録した動画情報に基づいて、スキップ点を算出するスキップ点算出手段と、
該スキップ点以降に続く、所定の連続した一定間隔のスキップ点候補を算出するスキップ点候補算出手段と、
該スキップ点及び該スキップ点候補の映像をデコードして、サムネイルを取得するサムネイル取得手段と、
前記サムネイル取得手段で取得したサムネイルを時系列に一定時間表示するサムネイル表示手段と、
前記サムネイル表示手段でサムネイルを一定時間表示した後に、ユーザが指定したスキップ点からの動画の再生を再開する動画再生再開手段と
を備えることを特徴とする記録再生装置。
【請求項２】
前記サムネイル取得手段は、ユーザが作成、または自動で作成したチャプタ情報をスキップ点、またはスキップ点候補とすることを特徴とする、請求項１記載の記録再生装置。
【請求項３】
前記動画再生再開手段は、サムネイルの表示と動画の再生を一定時間合成して表示させることを特徴とする、請求項１又は請求項２に記載の記録再生装置。
【請求項４】
動画と動画を再生、スキップするための管理情報を記録するための動画情報記録ステップと、
前記動画情報記録ステップで記録した動画を再生する再生ステップと、
一定間隔スキップする命令を受信すると前記再生ステップで再生する動画を一時停止する一定間隔スキップ命令受信ステップと、
前記一定間隔スキップ命令手段で受信すると、前記動画情報記録ステップで記録した動画情報に基づいて、スキップ点を算出するスキップ点算出ステップと、
該スキップ点以降に続く、所定の連続した一定間隔のスキップ点候補を算出するスキップ点候補算出ステップと、
該スキップ点及び該スキップ点候補の映像をデコードして、サムネイルを取得するサムネイル取得ステップと、
前記サムネイル取得ステップで取得したサムネイルを時系列に一定時間表示するサムネイル表示ステップと、
前記サムネイル表示ステップでサムネイルを一定時間表示した後に、ユーザが指定したスキップ点からの動画の再生を再開する動画再生再開ステップと
を有することを特徴とする記録再生方法。
【請求項５】
請求項４に記載の記録再生方法を含むプログラム。
【発明の詳細な説明】
【技術分野】
【０００１】
本発明は、例えばハードディスクレコーダやＢＤ／ＤＶＤレコーダ等の記録再生装置において、ユーザの利便性を向上させた映像の視聴を可能とする記録再生技術に関する。
【背景技術】
【０００２】
近年、衛星デジタル放送の普及に加え、地上波デジタル放送も開始され、放送のデジタル化が推進されている。これに対応する記録再生装置として、ハードディスクレコーダやＢＤ／ＤＶＤレコーダ等の記録再生装置が製品化されている。このような記録再生装置においては、標準的に視聴中の動画をスキップする機能が搭載されている。これは、例えばユーザによるリモコンのスキップボタンを押すなどの操作に応じて、タイトル単位やチャプタ単位、３０秒など所定時間単位などで動画のシーンスキップを行う機能である。この機能によってユーザは、コマーシャル（以後ＣＭと略す）などの興味のないシーンを飛ばすことで、視聴時間を短縮することができる。特許文献１では、この一定時間スキップに関する技術が開示されている。
【特許文献１】特開２００２−２２３４０８号公報
【発明の開示】
【発明が解決しようとする課題】
【０００３】
しかしながら、従来のシーンスキップの技術では、映像の再生中にＣＭ区間の映像に入った場合で、チャプタスキップを実行した場合に、目的のＣＭ明けの部分にチャプタが付与されていない場合には、ユーザの意図していない映像にスキップしてしまうことになる。また、３０秒など一定時間単位のスキップ機能では、スキップ再生再開後に目的の映像かを判断し、再度スキップボタンを繰り返し実施する必要があり、何度もスキップ操作と確認操作を繰り返す必要があり、容易な操作とはいえない。また、ボタンを押しすぎることで目的とする映像を通過してしまう。さらに、一定時間のスキップを行うだけでは、ユーザの目的とした映像に正確にスキップすることが出来ない。
【０００４】
本発明は、このような記録再生装置において、一定時間のスキップについて操作性を改善しつつ、より目的のシーンに正確にスキップすることを目的としている。
【課題を解決するための手段】
【０００５】
上記課題を解決し上記目的を達成するために、ユーザから一定間隔スキップする命令を受信すると、スキップ点からの再生の前に、スキップ点以降に続く数個の連続した一定間隔のスキップ点候補及び、チャプタ点の映像をサムネイルとして一定時間表示することで、一定間隔スキップ命令を何回実行したら、ユーザが目的とするシーン（例えばＣＭ明けのシーン）に到達するかを瞬間的に判断できる機能を備えた記録再生装置を提供する。具体的には、動画と動画を再生、スキップするための管理情報と、ユーザが作成または自動で作成されたチャプタ情報を記録した動画情報部と、動画情報部に記録された動画を動画管理情報に基づいて再生する記録／再生部制御部と、記録／再生部制御部で再生している映像を一定間隔スキップする命令を受信する受信部と、受信部で一定間隔スキップする命令を受信すると、動画情報部に記録された動画管理情報に基づいて、スキップ点の算出を行い、またスキップ点以降に続く、所定の連続した一定間隔のスキップ点候補およびチャプタ点の算出を行い、それらのサムネイル情報を構築するサムネイル情報構築部と、取得したサムネイルを時系列に一定時間表示することで、スキップ点以降にユーザが目的とするシーンがどこにあるのか判断することを可能とする描画処理部と、を備える「動画記録再生装置」である。
【発明の効果】
【０００６】
本発明は、ユーザが動画の視聴中にＣＭのスキップを目的として３０秒スキップボタンを実行した場合に、次の候補のシーンをサムネイルとして視覚的に瞬間的に確認することができる。また、あらかじめ作成されたチャプタのサムネイルも合わせて一定時間表示してからスキップ再生を再開するため、初回の３０秒スキップボタン実行時に、ユーザの目的とするシーンにスキップするために必要な３０秒スキップボタン実行回数の判断が可能となり、動画視聴時のユーザの利便性を向上させることが可能である。
【発明を実施するための最良の形態】
【０００７】
（実施の形態）
以下に、本発明を実施するための最良の形態について、図面を参照して説明する。先ず、本実施の形態の記録再生装置１００の構成を、図１を用いて説明する。
【０００８】
図１は、本実施の形態の記録再生装置１００の構成を示すブロック図である。本実施の形態では、記録再生装置１００は受信したアナログ放送とデジタル放送をＨＤＤもしくは、ＢＤ／ＤＶＤへ記録し、ディスプレイに出力するものである。その構成は、アナログ放送を受信し例えばＮＴＳＣ方式の映像信号を抽出する為のアナログチューナ１０１、ベースバンドの映像信号を、ＭＰＥＧ２形式のストリームに圧縮符号化するエンコーダ１０２、デジタル放送を受信するデジタルチューナ１０３、デジタルチューナ１０３から供給されるデジタル映像信号は、ＭＰＥＧ２−ＴＳ形式のストリームとして供給される。
【０００９】
記録／再生制御部１０４は、エンコーダ１０２とデジタルチューナ１０３とから入力されるＭＰＥＧ２形式の映像ストリーム３１０と動画管理情報３２０を動画情報部１１０に記録し、また、動画情報部１１０に記録された動画の再生制御を行う。
【００１０】
記録／再生制御部１０４から出力されるＭＰＥＧ２形式のストリームは、デコーダ１０８によりデコードされ、描画処理部１０９にて、Ｐｉｃｔｕｒｅ  ｉｎ  Ｐｉｃｔｕｒｅ等の映像の加工がおこなわれて、映像信号としてディスプレイに出力する。
【００１１】
ユーザのリモコンによる各種操作は、受信部１０７を介して実行される。受信部１０７は、例えば赤外線により、録画、再生、スキップ等の信号を外部から受信する。
【００１２】
ユーザが現在の再生点より３０秒先の点にスキップを行う機能（以後「３０秒スキップ」と略す）をリモコンより実行すると、受信部１０７はリモコンより３０秒スキップ信号を受信する。記録再生装置１００は、動画情報部１１０に記録された動画管理情報３２０から、３０秒後のスキップ点の算出と、スキップ点以降に続く、所定の連続した３０秒間隔のスキップ点候補及び、その区間に含まれるチャプタ点を算出して、デコーダ１０８によりサムネイルの取得を行う。
【００１３】
デコーダ１０８により取得したサムネイルは、サムネイル情報構築部１１１により、時系列の映像として整形され描画処理部１０９に送信され、描画処理部１０９では、デコーダ１０８から出力される映像情報上にサムネイルを合成表示（Ｐｉｃｔｕｒｅ  ｉｎ  Ｐｉｃｔｕｒｅ）することでユーザの目的とする近傍のシーンが確認できる情報として、ディスプレイへ映像信号を出力する。
【００１４】
図２に示すのは、本実施例の動画再生装置におけるＣＭスキップ処理の流れの一例を表すフローチャートである。まず、ユーザは予め保持されている動画情報に基づいて動画を視聴する（ステップＳ２０１）。視聴が継続され、図３の映像ストリーム３１０の（ａ）ＣＭ区間に達し、ユーザがＣＭをスキップするために、例えばリモコンの３０秒スキップボタンが押され３０秒スキップ信号をリモコンから送出する。図４はＣＭスキップ処理のディスプレイの表示遷移を示す図で、ユーザはＣＭ映像４０１でリモコンの３０秒スキップボタンを実行する。
【００１５】
記録再生装置１００は受信部１０７より３０秒スキップ信号を取得（ステップＳ２０２）すと、動画情報部１１０に格納された動画管理情報３２０のＧＯＰ情報３３０から、現在視聴しているシーンのＧＯＰｎ３３１の情報を取得し、３０秒後のスキップ点（３０秒後）の動画情報が格納されたＧＯＰｍ３３２を算出し、ＧＯＰｍ３３２の動画情報を取得する（ステップＳ２０３）。ＧＯＰ情報３３０は、映像ストリーム３１０の全ＧＯＰの情報をテーブル化しており、再生時間から目的の映像ストリームの格納アドレスを取得することが可能である。
【００１６】
続いて、スキップ点のＧＯＰｍ３３２以降に続く、所定個数のスキップ点候補を算出する（ステップＳ２０４）。図３では、スキップ点候補はＧＯＰｏ３３３、ＧＯＰｐ３３４、ＧＯＰｑ３３５の動画情報を取得する。また、動画管理情報３２０のチャプタ情報３４０にスキップ候補ＧＯＰｑ３３５までの区間に本編チャプタ３４１が含まれている場合、本編チャプタ３４１の動画情報を取得する（ステップＳ２０５）。サムネイル情報部１１１は、スキップ候補および本編チャプタの動画情報よりサムネイルを取得する（ステップＳ２０６）。
【００１７】
サムネイル情報部１１１は、スキップ候補のサムネイルおよび本編チャプタのサムネイルを時系列に所定個数配置して、描画処理部１０９に出力する（ステップＳ２０７）。描画処理部１０９はスキップ候補サムネイル４０２、４０３、４０５および本編チャプタサムネイル４０４とスキップ点の映像を合成し再生を再開し、ディスプレイに映像を出力する（ステップＳ２０７）。
【００１８】
スキップ再生後一定時間以内に３０秒スキップ信号を受信した場合は（ステップＳ２０９）、割り込み処理により受信した最後の信号をスキップ点として、ステップ２０３より処理を行う。たとえば、ユーザがスキップ再生の再開後ディスプレイに表示されたサムネイルを確認して、本編チャプタサムネイル４０４に目的のシーンがあると判断した場合、ユーザはリモコンの「３０秒スキップ」ボタンを３回実行する。すると、ディスプレイには本編より３０秒後のスキップ点候補サムネイル４０６、本編より６０秒後のスキップ点候補サムネイル４０７、本編より９０秒後のスキップ点候補サムネイル４０８、本編より１２０秒後のスキップ点候補サムネイル４０９を表示し、本編より再生を再開する。
スキップ再生後一定時間以内に３０秒スキップ信号を受信しない場合は（ステップＳ２０９）、描画処理部１０９はすべてのサムネイルを非表示にして、通常の再生に戻る（ステップＳ２１０）。
【００１９】
このようにして、ユーザは、初回の「３０秒スキップ」ボタンにより、目的のサムネイルを確認して、目的のサムネイルに到達する回数だけ「３０秒スキップ」ボタンを実施することで、簡易にＣＭのスキップを行い、図３の映像ストリーム３１０の（ｂ）ＣＭ明けの区間より本編の視聴を再開することが可能になる。
【産業上の利用可能性】
【００２０】
本発明にかかる記録再生装置は、映像の視聴時に一定時間スキップについて再生作業の利便性を高めるために有用である。
【図面の簡単な説明】
【００２１】
【図１】本発明の実施形態に係る記録再生装置の構成を示す図
【図２】本発明の実施形態に係る処理の内容を示すフローチャート
【図３】本発明の実施形態に係る動画管理情報の構成を示す図
【図４】本発明の実施形態に係る処理の出力の一例図
【符号の説明】
【００２２】
１００    記録再生装置
１０１    アナログチューナ
１０２    エンコーダ
１０３    デジタルチューナ
１０４    記録／再生制御部
１０７    受信部
１０８    デコーダ
１０９    描画処理部
１１０    動画情報部
１１１    サムネイル情報構築部
３１０    映像ストリーム
３２０    動画管理情報
３３０    ＧＯＰ情報
３３１    現在視聴しているシーンのＧＯＰ情報
３３２    スキップ点のＧＯＰ情報
３３３    スキップ点候補のＧＯＰ情報
３３４    スキップ点候補のＧＯＰ情報
３３５    スキップ点候補のＧＯＰ情報
３３６    本編チャプタ点のＧＯＰ情報
３４０    チャプタ情報
３４１    本編チャプタ
４０１    ＣＭ映像
４０２    スキップ候補サムネイル
４０３    スキップ候補サムネイル
４０４    本編チャプタサムネイル
４０５    スキップ候補サムネイル
４０６    スキップ候補サムネイル（本編より３０秒後）
４０７    スキップ候補サムネイル（本編より６０秒後）
４０８    スキップ候補サムネイル（本編より９０秒後）
４０９    スキップ候補サムネイル（本編より１２０秒後）
【図１】
2009182772.tif 000003
【図２】
2009182772.tif 000004
【図３】
2009182772.tif 000005
【図４】
2009182772.tif 000006